(57)【要約】【課題】  構造簡単にしてヘッド擦れの問題を解消したインクジェットプリンタを提供すること。【解決手段】  本発明のインクジェットプリンタは、印刷用紙を収納する給紙トレイ６と、該給紙トレイ６の下流側に配置された送りローラと、該送りローラの下流側に配置された排紙ローラと、前記送りローラと排紙ローラの間を搬送される前記印刷用紙の上方に配置されたインクジェットヘッドと、を有し、前記印刷用紙の後端部が前記インクジェットヘッドの下方を通過する際に、該後端部がインクジェットヘッドから離れる方向に前記印刷用紙にカールを付けるカール付与手段２１が、前記給紙トレイ６に設けられている。【選択図】        図１
2007021894.tif 000002
【特許請求の範囲】
【請求項１】
印刷用紙を収納する給紙トレイと、
該給紙トレイの下流側に配置された送りローラと、
該送りローラの下流側に配置された排紙ローラと、
前記送りローラと排紙ローラの間を搬送される前記印刷用紙の上方に配置されたインクジェットヘッドと、を有し、
前記印刷用紙の後端部が前記インクジェットヘッドの下方を通過する際に、該後端部がインクジェットヘッドから離れる方向に前記印刷用紙にカールを付けるカール付与手段が、前記給紙トレイに設けられ、
前記給紙トレイは、前記印刷用紙の紙面をその搬送方向全長にわたって支持する用紙支持板を有し、
前記カール付与手段は、前記用紙支持板を用紙搬送方向に沿って弓状に湾曲形成させることにより構成されており、
前記湾曲形成は、前記支持板の後端部において形成され、前記支持板の前端部は直線形状に形成されている、インクジェットプリンタ。
【請求項２】
印刷用紙を収納する給紙トレイと、
該給紙トレイの下流側に配置された送りローラと、
該送りローラの下流側に配置された排紙ローラと、
前記送りローラと排紙ローラの間を搬送される前記印刷用紙の上方に配置されたインクジェットヘッドと、を有し、
前記印刷用紙の後端部が前記インクジェットヘッドの下方を通過する際に、該後端部がインクジェットヘッドから離れる方向に前記印刷用紙にカールを付けるカール付与手段が、前記給紙トレイに設けられた、インクジェットプリンタ。
【請求項３】
前記給紙トレイは、前記印刷用紙の紙面を支持する用紙支持板を有し、
前記カール付与手段は、前記支持板を用紙搬送方向に沿って湾曲形成させることにより構成されている、請求項２記載のインクジェットプリンタ。
【請求項４】
前記湾曲形成は、前記支持板の後端部において形成されている、請求項３記載のインクジェットプリンタ。
【発明の詳細な説明】
【技術分野】
【０００１】
本発明は、インクジェットプリンタに関する。
【背景技術】
【０００２】
インクジェットプリンタにおいては、印刷用紙がインクジェットヘッドに接触して、用紙の印字面が汚れるという、所謂、「ヘッド擦れ」という問題があった。
【０００３】
この種のヘッド擦れ問題を解決するための従来技術として、たとえば、特許文献１（特開平１０−１９３５９１号公報）や、特許文献２（特開平９−４８１６１号公報）などに記載のものが公知である。
【０００４】
前記特許文献１記載のインクジェットプリンタは、ヘッドで用紙にインク滴を吐出して印字し、その後、用紙を排出するプリンタであって、前記ヘッドにて印字された用紙を、前記ヘッドによる印字面よりも下方に向けて一旦搬送する第１の排出ローラ対と、この第１の排出ローラ対により搬送されてくる用紙を水平方向よりも上方に向け搬送して排出する第２の排出ローラ対とを備え、第２の排出ローラ対は、用紙の非印字面と接触して用紙に搬送力を付与する複数の駆動ローラからなる駆動ローラ列と、この駆動ローラ列をなす駆動ローラ同士の間に配置され、その軸線方向から見て外周が駆動ローラの外周と部分的にオーバーラップする複数個のギザローラからなるギザローラ列とを有しているものであった。
【０００５】
また、前記特許文献２に記載のものは、インクを吐出して記録を行うインクジェット記録手段を用いて記録領域に配される記録媒体に記録を行うインクジェット記録装置において、前記記録領域に配され、前記記録媒体の搬送方向と交差する方向に前記記録媒体に凹凸形状を付与する機構を備えた記録媒体搬送手段を有するものであった。
【特許文献１】特開平１０−１９３５９１号公報
【特許文献２】特開平９−４８１６１号公報
【発明の開示】
【発明が解決しようとする課題】
【０００６】
上記特許文献１記載のものは、排出ローラの配置構造を特殊なものとするものであり、また特許文献２記載のものは、凹凸形状を付与する機構を備えるものであり、いずれも、ヘッド擦れを防止するための構造が複雑であり、製造コストが高くなるという問題があった。
【０００７】
そこで、本発明は、構造簡単にしてヘッド擦れの問題を解消したインクジェットプリンタを提供することを目的とする。
【課題を解決するための手段】
【０００８】
本発明に基づくインクジェットプリンタは、印刷用紙を収納する給紙トレイと、上記給紙トレイの下流側に配置された送りローラと、上記送りローラの下流側に配置された排紙ローラと、上記送りローラと排紙ローラの間を搬送される上記印刷用紙の上方に配置されたインクジェットヘッドと、を有し、上記印刷用紙の後端部が前記インクジェットヘッドの下方を通過する際に、上記後端部がインクジェットヘッドから離れる方向に上記印刷用紙にカールを付けるカール付与手段が、上記給紙トレイに設けられている。
【０００９】
この構成によれば、上記印刷用紙の後端部が前記インクジェットヘッドの下方を通過する際に、上記後端部がインクジェットヘッドから離れる方向に、上記印刷用紙にカールが付与されているので、印刷用紙はインクジェットヘッドに接触しないので、ヘッド擦れの問題が解消できる。
【００１０】
上記給紙トレイは、上記印刷用紙の紙面を支持する用紙支持板を有し、上記カール付与手段は、上記支持板を用紙搬送方向に沿って湾曲形成させることにより構成するのが好ましい。
【００１１】
上記湾曲形成は、上記支持板の後端部において形成されているのが好ましい。
また、上記給紙トレイは、上記印刷用紙の紙面をその搬送方向全長にわたって支持する用紙支持板を有し、上記カール付与手段は、上記用紙支持板を用紙搬送方向に沿って弓状に湾曲形成させることにより構成されており、上記湾曲形成は、上記支持板の後端部において形成され、上記支持板の前端部は直線形状に構成することができる。
【発明の効果】
【００１２】
本発明のカール付与手段によれば、上記印刷用紙の後端部が前記インクジェットヘッドの下方を通過する際に、上記後端部がインクジェットヘッドから離れるように、上記印刷用紙にカールが付与されているので、印刷用紙はインクジェットヘッドに接触しないので、ヘッド擦れの問題が解消できる。
【発明を実施するための最良の形態】
【００１３】
以下、この発明に基づいた各実施の形態について、図を参照しながら説明する。
図１および図２において、インクジェットプリンタは、ケース本体１を有し、該ケース本体１内に印字装置２が設けられている。前記ケース本体１には、前記印字装置２に印刷用紙３を供給するための給紙装置４と、印刷済みの用紙３を排出するための排紙装置５とが設けられている。
【００１４】
前記給紙装置４は、印刷用紙３を収納する給紙トレイ６を有する。給紙トレイ６の印刷用紙収納側には、給紙ローラ７が配置されている。この給紙ローラ７は、揺動レバー８に設けられている。上記揺動レバー８は、ケース本体１の下部に固定された支持枠９に枢軸１０を介して揺動自在に枢支されている。前記支持枠９にモータ１１が設けられている。揺動レバー８には、上記モータ１１の動力を上記給紙ローラ７に伝達する連動機構（図示省略）が設けられている。揺動レバー８はスプリング等の付勢手段（図示省略）により、給紙トレイ６に収納された印刷用紙３の上面に上記給紙ローラ７が接触するよう付勢されている。
【００１５】
上記給紙トレイ６の下流側に送りローラ１２が配置されている。この送りローラ１２の上方に押えローラ１３が配置されている。下部の送りローラ１２は駆動ローラとされ、上部の押えローラ１３は遊転ローラとされている。
【００１６】
上記排紙装置５は、上記送りローラ１２の下流側に配置された排紙ローラ１４を有する。この排紙ローラ１４の上方に押えローラ１５が配置されている。下部の排紙ローラ１４は駆動ローラとされ、上部の押えローラ１５は遊転ローラとされている。排紙ローラ１４の下流側に排紙トレイ１６が設けられている。この排紙トレイ１６は、上記排紙ローラ１４を通過した印刷用紙３を収納するものであり、上記ケース本体１に着脱自在に装着される。
【００１７】
上記印字装置２は、上記送りローラ１２と排紙ローラ１４の間を搬送される上記印刷用紙３の上方に配置されたインクジェットヘッド１７を有する。インクジェットヘッド１７はインクタンク１８の下部に設けられている。インクタンク１８は、キャリッジ１９に着脱自在に装着されている。このキャリッジ１９は、ガイドシャフト２０に案内されて、上記印刷用紙３の搬送方向と直交する方向に往復移動自在に設けられている。
【００１８】
上記送りローラ１２の上面と排紙ローラ１４の上面とを結ぶ用紙搬送ラインと、上記インクジェットヘッド１７の下面とは、所定の距離を保つように設定されている。
【００１９】
上記構成のインクジェットプリンタにおいて、上記給紙トレイ６にカール付与手段２１が設けられている。このカール付与手段２１は、上記印刷用紙３の後端部が上記インクジェットヘッド１７の下方を通過する際に、該後端部がインクジェットヘッド１７から離れる方向に上記印刷用紙３にカールを付ける機能を有するものである。
【００２０】
以下、カール付与手段２１の具体的構成につき説明する。
上記給紙トレイ６は、上記印刷用紙３の紙面を支持する用紙支持板２２を有する。上記カール付与手段２１は、上記支持板２２を用紙搬送方向に沿って湾曲形成させることにより構成されている。この湾曲形成は、少なくとも、上記支持板２２の後端部において形成されていればよい。勿論、全長にわたって湾曲形成されたものであっても良い。
【００２１】
このカール付与手段２１は、支持板２２上に載置された印刷用紙３が、その自重により、支持板２２の湾曲形状に沿ってカールするように癖付けするものである。したがって、支持板２２の取付傾斜角度（θ）と湾曲形状は密接な関係を有し、カール付けするための適切な角度(θ）と曲率半径（Ｒ）が選定される。
【００２２】
図３は、上記構成の実施の形態による作用効果の説明図である。上記実施の形態によれば、給紙トレイ６に収納された印刷用紙３は、カール付与手段２１によりカール付けがされる。印刷に際しては、用紙３は、給紙ローラ７により給紙トレイ６から取り出され、送りローラ１２から排紙ローラ１４を経て搬送される間にインクジェットヘッド１７により印刷される。そして、図３に示すように印刷用紙３の後端が送りローラ１２を抜けたとき、印刷用紙３の後端部は、上記カール付与手段２１によりカール付けされているので、ヘッド擦れが生じず、印刷面を汚すことがなくなる。
【００２３】
なお、上記用紙支持板２２は、上記印刷用紙３の紙面をその搬送方向全長にわたって支持する長さに形成されているのが好ましい。したがって、用紙のサイズによって、この支持板２２の形状は異なるものとされている。
【００２４】
本発明は、上記の実施の形態に限定されるものではなく、前記カール付与手段２１は、前記用紙支持板２２を用紙搬送方向に沿って弓状に湾曲形成させることにより構成し、上記湾曲形成は、上記支持板２２の後端部において形成し、上記支持板２２の前端部は直線形状に形成するのが好ましい。
【００２５】
図４，５に示すものは、上記用紙支持板２２の湾曲形状の各種のものを例示するものである。図４に示すものは、全体が湾曲形成されているが、その後端にいくに従い、曲率半径が徐々に小さくなるように形成されている。図５に示すものは、後端部のみが急激に湾曲成型され、全体的には直線形状に形成されている。
【００２６】
上記用紙支持板２２は、ケース本体１に一体的に設けられた物、または、別体としてケース本体１に着脱自在に設けられた物であって良い。
【００２７】
用紙支持板２２の用紙搬送方向の大きさ（長さ）は、用紙搬送方向に沿った用紙の全長を支持するものとされているのが好ましい。なお、用紙支持板２２の用紙搬送方向に直交する大きさ（幅）は、用紙３の幅方向全長を支持するものに限らず、用紙３の幅よりも狭いものであっても良い。
【００２８】
また、用紙支持板２２の用紙搬送方向の大きさ（長さ）は、固定的長さを有する場合と、伸縮自在な構造とされたもののいずれであっても良い。伸縮自在な構造においては、用紙支持板２２は摺動自在なテレスコピック式の多板構造とされ、最終段（後端部）の支持板のみが湾曲形状とされるのが好ましい。
【００２９】
さらに、インクジェットプリンタの形式としては、特開２０００−３５１４５１号公報の図５に記載の如きものにも適用できる。
【００３０】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【産業上の利用可能性】
【００３１】
本発明は、画像形成装置分野の産業において利用可能である。
【図面の簡単な説明】
【００３２】
【図１】本実施の形態のインクジェットプリンタの斜視図である。
【図２】本実施の形態のインクジェットプリンタの断面図である。
【図３】本発明の作用効果を示す説明図である。
【図４】用紙支持板の湾曲形状の他の実施の形態を示す概念図である。
【図５】用紙支持板の湾曲形状の他の実施の形態を示す概念図である。
【符号の説明】
【００３３】
３  印刷用紙、６  給紙トレイ、１２  送りローラ、１４  排紙ローラ、１７  インクジェットヘッド、２１  カール付与手段、２２  用紙支持板。
【図１】
2007021894.tif 000003
【図２】
2007021894.tif 000004
【図３】
2007021894.tif 000005
【図４】
2007021894.tif 000006
【図５】
2007021894.tif 000007